(57)【要約】【課題】特定階のかご呼サービス切り離しを指定するかご呼サービス切り離し指令手段が動作したとき、上記かご呼サービスを一時的に解除する手段を知らない訪問者が来客した場合でも煩わしくなく防犯上も安全なエレベーターの制御装置を提供する。【解決手段】かご呼サービス切り離し指令手段が作動したときにおいて、かご呼サービス切り離し階のかご呼釦３Ｃが操作されたとき、かご呼びサービス切り離し階のホール呼応答灯３ＤＨＬを通常の点灯方法と異なる点灯方法で点灯する。その後、かご呼サービス切り離し階のホール呼釦３Ｄを操作することにより、ホール呼が登録される。その後、訪問者が乗車する出発階から、かご呼サービス切り離し階の１階床手前までを除く階のかご呼４Ｃが操作されたとき、訪問者以外の乗客が同乗して特定階に停止すると判断し、一旦登録したホール呼Ｚ８１３をキャンセルし３階に走行させない。【選択図】図１
2005132545.tif 000002
【特許請求の範囲】
【請求項１】
特定階のかご呼サービス切り離しを指定する、かご呼サービス切り離し指令手段と、上記かご呼サービス切り離しを一時的に解除する手段を備えたエレベーターの制御装置において、かご呼サービス切り離し指令手段が作動したときにおいて、訪問者がかご呼サービス切り離し階のかご呼釦を操作したとき、かご呼サービス切り離し階のホール呼応答灯を、通常の点灯方法と異なる点灯方法で点灯させることで、かご呼サービス切り離し階のホールで、訪問者が、かごに乗車したことを確認後、利用者が訪問者を呼ぶためにかご呼サービス切り離し階のホール呼を登録した後に、訪問者が乗車する出発階から、かご呼サービス切り離し階の１階床手前までを除く階のかご呼が発生した場合は、訪問者以外の乗客が同乗して特定階に停止すると判断し、かご呼サービス切り離し階のホール呼をキャンセルすることを特徴とするエレベーターの制御装置。
【発明の詳細な説明】
【技術分野】
【０００１】
本発明はエレベーターの制御装置に係り、特に特定階のかご呼サービス切り離しを指定する、かご呼サービス切り離し指令装置を備えた、エレベーターの制御装置に関する。
【背景技術】
【０００２】
一般に、特定階のかご呼サービス切り離しを指定する、かご呼サービス切り離し指令手段と、上記かご呼サービス切り離しを一時的に解除する手段を備えたエレベーターが知られており、この種のエレベーターは特定階のかご呼サービス切り離しを指定する、かご呼サービス切り離し指令装置により、特定階でのかご呼サービス切り離しが指定されると、上記特定階のかご呼サービス切り離しを一時的に解除する手段を知らない利用者が来客した場合は、特定階のかご呼が登録できないため、上記かご呼サービス切り離しを一時的に解除する手段を知っている利用者が、知らない訪問者のいる階まで迎えに行き、特定階のかご呼サービス切り離しを一時的に解除し、特定階のかご呼を登録する必要があった。このため、かご内に解除する手段を知らない訪問者と解除する手段を知っている利用者が同乗して特定階に行くことになる（特許文献１参照）。
【特許文献１】特開２００３−１７６０８４公報（第２頁、８〜１５行目）
【発明の開示】
【発明が解決しようとする課題】
【０００３】
従来のエレベーターにおいては、防犯等の目的で特定階のかご呼サービス切り離しを指定するかご呼サービス切り離し指令が作動しても、特定階のかご呼サービス切り離しを一時的に解除する手段を知らない訪問者があった場合は、迎えに行き同乗して戻ってくる必要があったため、煩わしさがあった。また、特定階のかご呼サービス切り離しを一時的に解除する手段を知らない訪問者のいるかご内で、特定階のかご呼サービス切り離しを一時的に解除する操作を行う必要があったため、解除する操作がかご呼釦による暗号操作等の場合は、解除する操作を見られることもある。その上、かご内で同乗するため防犯上も問題があった。
【０００４】
本発明の目的は、特定階のかご呼サービス切り離しを指定する、かご呼サービス切り離し指令手段が動作したとき、上記かご呼サービス切り離しを一時的に解除する手段を知らない訪問者があった場合でも、煩わしくなく、防犯上も安全なエレベーターの制御装置を提供することにある。
【課題を解決するための手段】
【０００５】
本発明は上述の目的を達成するために、特定階のかご呼サービス切り離しを指定する、かご呼サービス切り離し指令手段と、上記かご呼サービス切り離しを一時的に解除する手段を備えたエレベーターの制御装置において、かご呼サービス切り離し指令手段が作動したときにおいて、訪問者がかご呼サービス切り離し階のかご呼釦を操作したとき、かご呼サービス切り離し階のホール呼応答灯を、通常の点灯方法と異なる点灯方法で点灯させることで、かご呼サービス切り離し階のホールで、訪問者が、かごに乗車したことを確認後、利用者が訪問者を呼ぶためにかご呼サービス切り離し階のホール呼を登録した後に、訪問者が乗車する出発階から、かご呼サービス切り離し階の１階床手前までを除く階のかご呼が発生した場合は、訪問者以外の乗客が同乗して特定階に停止すると判断し、かご呼サービス切り離し階のホール呼をキャンセルすることを特徴とするエレベーターの制御装置。
【発明の効果】
【０００６】
以上説明したように本発明は、特定階のかご呼サービス切り離しを指令する、かご呼サービス切り離し指令が作動したとき、特定階のかご呼釦を操作すると、特定階のホール呼応答灯を通常の点灯方法と異なるフリッカーさせる手段を設けたため、訪問客がかご内に乗ったことが、特定階で知ることができ、特定階にいる利用者は、ホール釦を操作するだけで訪問客を特定階に呼べることになる。また、利用者が訪問者を呼ぶためにかご呼サービス切り離し階のホール呼を登録した後に、訪問者が乗車する出発階から、かご呼サービス切り離し階の１階床手前までを除く階のかご呼が発生した場合は、訪問者以外の乗客が同乗して特定階に停止すると判断し、かご呼サービス切り離し階の一旦登録されたホール呼をキャンセルするため他の同乗者が特定階に来ることができないため防犯上安全である。
【発明を実施するための最良の形態】
【０００７】
以下、本発明の一実施形態を図１を用いて説明する。
【０００８】
図１は、本発明の一実施形態の電気結線図である。対象となるエレベーターは１階から４階までを就行するものとする。また、図１は主に２階の呼び関係の結線図を示してある。Ｐ，Ｎは電源、１Ｃは１階かご呼釦、２Ｃは２階かご呼釦、３Ｃは３階かご呼釦、４Ｃは４階かご呼釦、Ｘ５１１は１Ｃが操作されたときＯＮするリレー、Ｘ５１２は２Ｃが操作されたときＯＮするリレー、Ｘ５１３は３Ｃが操作されたときＯＮするリレー、Ｘ５１４は４Ｃが操作されたときＯＮするリレー、Ｘ５１１ａ１はリレーＸ５１１のＡ接点、Ｘ５１２ａ１はリレーＸ５１２のＡ接点、Ｘ５１３ａ１〜Ｘ５１３ａ３はリレーＸ５１３のＡ接点、Ｘ５１４ａ１はリレーＸ５１４のＡ接点、Ｚ５１３はかご呼登録リレー、Ｚ５１３ａ１〜Ｚ５１３ａ２はリレーＺ５１３のＡ接点、Ｚ５１４ａ１は図示しないかご呼登録リレーＺ５１４のＡ接点、Ｚ５１４ｂ１は図示しないかご呼登録リレーＺ５１４のＢ接点、３Ｄは３階ダウンホール呼釦、Ｚ８１３は３階ダウンホール呼登録リレー、Ｚ８１３ａ１〜Ｚ８１３ａ４はリレーＺ８１３のＡ接点、３ＤＨＬは３階ダウンホール呼応答灯、Ｚ８１３Ｎは３階かご呼サービス切り離し時３階ダウンホール呼が登録されている場合に４階かご呼を登録時ＯＮするリレー、Ｚ８１３Ｎｂ１はリレーＺ８１３ＮのＢ接点、３ＣＬは３階かご呼応答灯、ＡＮＧは暗号制御装置、ＡＮＧａ１は４階かご呼釦操作によりＯＮするリレーＸ５１４のＡ接点と、３階かご呼釦操作によりＯＮするリレーＸ５１３のＡ接点と、２階かご呼釦操作によりＯＮするリレーＸ５１２のＡ接点と、１階かご呼釦操作によりＯＮするリレーＸ５１１のＡ接点の入力順序で、暗号の成立を判定し暗号成立時ＯＮする暗号制御装置のＡ接点、ＮＳＴ１は３階かご呼サービス切り離し時ＯＮする図示しないリレーＮＳＴのトランスファー接点、ＮＳＴａ１〜ＮＳＴａ４は３階かご呼サービス切り離し時ＯＮする図示しないリレーＮＳＴのＡ接点、Ｚ９１３ｂ１〜Ｚ９１３ｂ２はエレベーターが３階到着時ＯＮする図示しないリレーＺ９１３のＢ接点、Ｆは一定時間ごとにＯＮする図示しないフリッカー装置のフリッカー接点を示す。
【０００９】
最初に３階のかご呼サービス切り離しスイッチが操作されていない場合の説明を下記に示す。３階のかご呼釦３Ｃが操作されるとリレーＸ５１３がＯＮする。また、３階のかご呼サービス切り離しスイッチが操作されていないためリレーＮＳＴはＯＦＦしている。このため、Ｐ−Ｘ５１３ａ１−ＮＳＴ１−Ｚ５１３−Ｎの回路が形成されリレーＺ５１３がＯＮする。このリレーＺ５１３によって３階のかご呼が登録され、エレベーターが３階にいない場合はリレーＺ９１３がＯＦＦしているため、Ｐ−Ｚ５１３ａ１−Ｚ９１３ｂ１−Ｚ５１３−Ｎの回路で、エレベーターが３階に到着しリレーＺ９１３がＯＮするまで、リレーＺ５１３はＯＮすることになる。また、Ｚ５１３がＯＮすることによりＰ−Ｚ５１３ａ２−３ＣＬ−Ｎの回路が形成され３階かご呼応答灯３ＣＬが点灯する。一方、ホール呼においても、３階ダウンホール呼釦３Ｄが操作されると、Ｐ−３Ｄ−Ｚ８１３−Ｎの回路が形成されリレーＺ８１３がＯＮする。このリレーＺ８１３によって３階ダウンホール呼が登録され、エレベーターが３階にいない場合は、リレーＺ９１３がＯＦＦしているため、Ｐ−Ｚ８１３Ｎｂ１−Ｚ８１３ａ１−Ｚ９１３ｂ２−Ｚ８１３−Ｎの回路でエレベーターが３階に到着しリレーＺ９１３がＯＮするまで、リレーＺ８１３はＯＮすることになる。また、Ｚ８１３がＯＮすることによりＰ−Ｚ８１３ａ２−３ＤＨＬ−Ｎの回路が形成され、３階ダウンホール呼応答灯３ＤＨＬが点灯する。
【００１０】
次に、３階かご呼サービス切り離し時の動作を説明する。３階のかご呼釦３Ｃが操作されると、リレーＸ５１３がＯＮする。また、３階のかご呼サービス切り離しスイッチが操作されているため、リレーＮＳＴはＯＮしている。このため、Ｐ−Ｘ５１３ａ１−ＮＳＴ１−ＡＮＧａ１−Ｚ５１３−Ｎの回路が、ＡＮＧａ１がＯＮするまで形成されないためリレーＺ５１３がＯＮできない。このリレーＺ５１３がＯＮできないため３階のかご呼が登録されない。次に３階かご呼サービス切り離し時、１階、２階、３階または４階のかご呼釦を操作すると、リレーＸ５１１、リレーＸ５１２、リレーＸ５１３、またはリレーＸ５１４がＯＮし、Ｘ５１１ａ１、Ｘ５１２ａ１、Ｘ５１３ａ２またはＸ５１４ａ１のリレーＡ接点によりＰ−ＮＳＴａ１−Ｘ５１１ａ１−ＡＮＧ−Ｎの回路、Ｐ−ＮＳＴａ１−Ｘ５１２ａ１−ＡＮＧ−Ｎの回路、Ｐ−ＮＳＴａ１−Ｘ５１３ａ２−ＡＮＧ−Ｎの回路またはＰ−ＮＳＴａ１−Ｘ５１４ａ１−ＡＮＧ−Ｎの回路が形成され、かご呼釦の押し順により暗号が成立すると暗号制御装置ＡＮＧのＡ接点ＡＮＧａ１がＯＮする。このときに、３階のかご呼釦３Ｃが操作されるとリレーＸ５１３がＯＮし、Ｐ−Ｘ５１３ａ１−ＮＳＴ１−ＡＮＧａ１−Ｚ５１３−Ｎの回路が形成され、リレーＺ５１３がＯＮし、３階のかご呼が登録される。このため、かご呼釦の押し順による暗号を知らない人は３階のかご呼が登録できないことになる。しかし、１階のホール等から３階の利用者に携帯電話等で連絡し、かご内に乗り込み３階のかご呼釦３Ｃを操作することにより、Ｐ−ＮＳＴａ２−Ｘ５１３ａ３−Ｆ−Ｚ５１４ｂ１−３ＤＨＬ−Ｎの回路が形成され、３階のかご呼釦３Ｃを操作している間３階ダウンホール呼応答灯３ＤＨＬが一定時間ごとにＯＮするフリッカー接点Ｆにより、フリッカーする。このため携帯電話等で連絡を受けた３階の利用者は訪問者がかご内に乗り込んだことを知ることができる。このとき、３階の利用者が３階ダウンホール呼釦３Ｄを操作すると、Ｐ−３Ｄ−Ｚ８１３−Ｎの回路が形成され、リレーＺ８１３がＯＮし、３階ダウンホール呼が登録される。また、このとき３階ダウンホール呼が登録されるため、Ｐ−ＮＳＴａ４−Ｚ８１３ａ４−３ＣＬ−Ｎの回路が形成され、３階かご呼応答灯が点灯する。このため、３階のかご呼釦を操作している利用者は、３階ダウンホール呼が登録されたことを確認し、３階のかご呼釦から手を放すことができる。このことにより、３階かご呼サービス切り離し時も、３階の利用者は１階まで来客を迎えに行かなくても３階に訪問者を呼ぶことが可能である。
【００１１】
しかし、同乗者が既に４階のかご呼を登録している場合は、既にＺ５１４がＯＮしているため、Ｐ−ＮＳＴａ２−Ｘ５１３ａ３−Ｆ−Ｚ５１４ｂ１−３ＤＨＬ−Ｎの回路が形成されず３階ダウンホール呼応答灯３ＤＨＬはフリッカーしない。このため３階の利用者は３階ダウンホール呼釦３Ｄを操作しないので３階に訪問者を呼ぶことができない。
【００１２】
また、３階ダウンホール呼を登録後、４階に行く同乗者がいて、４階のかご呼が登録された場合は、Ｐ−ＮＳＴａ３−Ｚ８１３ａ３−Ｚ５１４ａ１−Ｚ８１３Ｎ−Ｎの回路で、リレーＺ８１３ＮはＯＮする。リレーＺ８１３ＮがＯＮすると、Ｐ−Ｚ８１３Ｎｂ１−Ｚ８１３ａ１−Ｚ９１３ｂ２−Ｚ８１３−Ｎの回路が形成されなくなりリレーＺ８１３がＯＦＦする。リレーＺ８１３がＯＦＦすると、３階ダウンホール呼の登録がキャンセルされる。このため、かご内に４階に行く他の乗客がいる場合、３階に停止しないため防犯上安全である。
【図面の簡単な説明】
【００１３】
【図１】本発明の一実施形態によるエレベーターの制御装置の電気結線図である。
【符号の説明】
【００１４】
２Ｃ  ２階かご呼釦
２Ｄ  ２階ダウンホール呼釦
２ＣＬ  ２階かご呼応答灯
２ＤＨＬ  ２階ダウンホール呼応答灯
Ｆ    一定時間ごとにＯＮするフリッカー接点
ＡＮＧ  暗号制御装置
【図１】
2005132545.tif 000003